【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
入射してきた光束を回転しながら反射する複数の反射面を備えた回転多面鏡と、
前記回転多面鏡の回転軸を通る平面により区画された一方側から第１光束を入射する第１光源と、
前記平面により区画された他方側から第２光束を入射する第２光源と、
前記回転多面鏡にて偏向走査された前記第１及び第２光束をそれぞれ対応する感光体に結像させる結像手段と、
前記第１光束を主走査方向の走査開始側で検知する第１検知手段と、
前記第１光束を主走査方向の走査終了側で検知する第２検知手段と、
前記第２光束を主走査方向の走査開始側で検知する第３検知手段と、
前記第２光束を主走査方向の走査終了側で検知する第４検知手段と、
前記第１検知手段と前記第２検知手段により前記第１光束が検出された時間間隔を前記第１光源による走査時間として算出する第１算出手段と、
前記第３検知手段と前記第４検知手段により前記第２光束が検出された時間間隔を前記第２光源による走査時間として算出する第２算出手段と、
前記第１算出手段及び前記第２算出手段によりそれぞれ算出された前記回転多面鏡の前記反射面ごとの前記走査時間を記憶する記憶手段と、
前記第１光源に供給される画素クロックを前記第２光源に係る走査時間に応じて制御し、前記第２光源に供給される画素クロックを前記第１光源に係る走査時間に応じて制御することでジッターを補正するジッター補正手段と
を含むことを特徴とする走査式光学装置。
【請求項２】
前記ジッター補正手段は、
ｉ番目の反射面により偏向された前記第１光束についてのｎ回転目の走査時間に対して、前記ｉ番目の反射面により偏向された前記第２光束についてのｎ回転目の走査時間及びｎ−１回転目の走査時間を使用して前記ジッターを補正するために必要となる第１目標走査時間を決定し、決定された該第１目標走査時間に応じて前記第１光源に供給される画素クロックを変調することを特徴とする請求項１に記載の走査式光学装置。
【請求項３】
前記ジッター補正手段は、
ｊ番目の反射面により偏向された前記第２光束についてのｎ回転目の走査時間に対して、前記ｊ番目の反射面により偏向された前記第１光束についてのｎ回転目の走査時間及びｎ−１回転目の走査時間を使用して前記ジッターを補正するために必要となる第２目標走査時間を決定し、決定された該第２目標走査時間に応じて、前記第２光源に供給される画素クロックを変調することを特徴とする請求項１又は２に記載の走査式光学装置。
【請求項４】
前記主走査方向の走査終了側へ偏向された前記第１光束をさらに前記第１検知手段を構成する第１センサに向けて反射する第１ミラーをさらに備えることで、前記第１検知手段と前記第２検知手段とを前記第１センサにより実現したことを特徴とする請求項１乃至３の何れか１項に記載の走査式光学装置。
【請求項５】
前記主走査方向の走査開始側へ偏向された前記第２光束をさらに前記第４検知手段を構成する第２センサに向けて反射する第２ミラーをさらに備えることで、前記第３検知手段と前記第４検知手段とを前記第２センサにより実現したことを特徴とする請求項１乃至４の何れか１項に記載の走査式光学装置。
【請求項６】
前記主走査方向の走査終了側へ偏向された前記第１光束を第１センサに向けて反射する第１ミラーと、
前記主走査方向の走査開始側へ偏向された前記第２光束を第２センサに向けて反射する第２ミラーと、
前記主走査方向の走査開始側へ偏向された前記第１光束を前記第２センサに向けて反射する第３ミラーと、
前記主走査方向の走査終了側へ偏向された前記第２光束を前記第１センサに向けて反射する第４ミラーとをさらに備えることで、前記第１検知手段と前記第３検知手段とを前記第２センサにより実現し、前記第２検知手段と前記第４検知手段とを前記第１センサにより実現したことを特徴とする請求項１乃至３の何れか１項に記載の走査式光学装置。
【請求項７】
画像形成装置であって、
複数の感光体と、
前記感光体を帯電させる帯電装置と、
画像情報に応じた光束で前記感光体の表面を走査することで静電潜像を形成する、請求項１乃至６の何れか１項に記載の走査式光学装置と、
前記静電潜像を現像して現像剤像を形成する現像装置と、
前記現像剤像を用紙に転写する転写装置と、
転写された前記現像剤像を前記用紙に定着させる定着装置と
を含むことを特徴とする画像形成装置。
【請求項８】
入射してきた光束を回転しながら反射する複数の反射面を備えた回転多面鏡と、
前記回転多面鏡の回転軸を通る平面により区画された一方側から第１光束を入射する第１光源と、
前記平面により区画された他方側から第２光束を入射する第２光源と、
前記回転多面鏡にて偏向走査された前記第１及び第２光束をそれぞれ対応する感光体に結像させる結像手段と
を含む走査式光学装置におけるジッター補正方法であって、
第１検知手段が、前記第１光束を主走査方向の走査開始側で検知する第１検知工程と、
第２検知手段が、前記第１光束を主走査方向の走査終了側で検知する第２検知工程と、
第３検知手段が、前記第２光束を主走査方向の走査開始側で検知する第３検知工程と、
第４検知手段が、前記第２光束を主走査方向の走査終了側で検知する第４検知工程と、
第１算出手段が、前記第１検知工程と前記第２検知工程により前記第１光束が検出された時間間隔を前記第１光源による走査時間として算出する第１算出工程と、
第２算出手段が、前記第３検知工程と前記第４検知工程により前記第２光束が検出された時間間隔を前記第２光源による走査時間として算出する第２算出工程と、
記憶手段が、前記第１算出工程及び前記第２算出工程によりそれぞれ算出された前記回転多面鏡の前記反射面ごとの前記走査時間を記憶する記憶工程と、
ジッター補正手段が、前記第１光源に供給される画素クロックを前記第２光源に係る走査時間に応じて制御し、前記第２光源に供給される画素クロックを前記第１光源に係る走査時間に応じて制御することでジッターを補正するジッター補正工程と
を含むことを特徴とするジッター補正方法。
【手続補正２】
【補正対象書類名】明細書
【補正対象項目名】００５０
【補正方法】変更
【補正の内容】
【００５０】
ＴＢ＝（Ｔ０／Ｂ２１）×（Ａ１１／Ａ２１）
演算回路６５は、算出した走査時間ＴＢとなるように画素クロックを変調する。演算回路６５は、走査時間Ｂｎｊ、走査時間Ａｎ−１ｊ及びＡｎｊとからジッターを補正するために必要となる第２目標走査時間ＴＢを決定し、これに応じて、第２光源に供給される画素クロックを変調する。ＴＢは、第２目標走査時間の一例である。走査時間Ｂｎｊは、ｊ番目の反射面により偏向された第２光束についてのｎ回転目の走査時間である。走査時間Ａｎ−１ｊ及びＡｎｊは、ｊ番目の反射面により偏向された第１光束についてのｎ−１回転目の走査時間及びｎ回転目の走査時間である。
【手続補正３】
【補正対象書類名】明細書
【補正対象項目名】００３８
【補正方法】変更
【補正の内容】
【００３８】
図７は、本発明の一実施例に係るＢＤセンサのタイムチャートである。上述した１面目乃至６面目に対応した走査時間Ａ１１〜Ａ１６がメモリ６３に記憶される。さらにポリゴンミラー１０の２回転目に、走査時間Ａ２１〜Ａ２６が測定され、メモリ６３に記憶される。こうすることで、メモリ６３には、ｎ−１回転目とｎ回転目に半導体レーザ２から射出された各光束の走査時間が、反射面ごとに記憶される。本実施例では、２回転分の走査時間がメモリに記憶されるものとする。メモリ６３、６４は、第１算出手段及び第２算出手段によりそれぞれ算出された回転多面鏡の反射面ごとの走査時間を記憶する記憶手段の一例である。
【手続補正４】
【補正対象書類名】明細書
【補正対象項目名】００４０
【補正方法】変更
【補正の内容】
【００４０】
上述した１面目乃至６面目に対応した走査時間Ｂ１１〜Ｂ１６がメモリ６４に記憶される。さらにポリゴンミラー１０の２回転目に、走査時間Ｂ２１〜Ｂ２６が測定され、メモリ６４に記憶される。こうすることで、メモリ６４には、ｎ−１回転目とｎ回転目に半導体レーザ１２から射出された各光束の走査時間が、反射面ごとに記憶される。本実施例では、２回転分の走査時間がメモリに記憶されるものとする。
【手続補正５】
【補正対象書類名】明細書
【補正対象項目名】００６０
【補正方法】変更
【補正の内容】
【００６０】
ＴＢ＝Ｔ０／Ｂ２１×Ａ１１／Ａ２１
このため、ポリゴンミラー１０の反射面ごとに、演算回路６５により算出された画素クロックを画像情報により変調される（Ｓ８１０）。レーザ駆動部６８は、この変調信号に応じて半導体レーザ１２を発光させる。また、レーザ駆動部６９は、この変調信号に応じて半導体レーザ１３を発光させる。
【手続補正６】
【補正対象書類名】図面
【補正対象項目名】図６
【補正方法】変更
【補正の内容】
【図６】
2008287018.tif 000001
【手続補正７】
【補正対象書類名】図面
【補正対象項目名】図９
【補正方法】変更
【補正の内容】
【図９】
2008287018.tif 000002
【手続補正８】
【補正対象書類名】図面
【補正対象項目名】図１０
【補正方法】変更
【補正の内容】
【図１０】
2008287018.tif 000003
【手続補正９】
【補正対象書類名】図面
【補正対象項目名】図１２
【補正方法】変更
【補正の内容】
【図１２】
2008287018.tif 000004
【手続補正１０】
【補正対象書類名】図面
【補正対象項目名】図１３
【補正方法】変更
【補正の内容】
【図１３】
2008287018.tif 000005